(57)【特許請求の範囲】
【請求項１】
建物施工時に外壁部に仮設養生体を盛替可能に支持するための機構であって、
建物の先端部に設けられている立ち上がり部に係合可能な下向きの三方枠状のフレーム部材を前記仮設養生体に対して水平旋回可能な状態で取り付け、
前記フレーム部材は、立ち上がり部の外面に当接せしめられる基部垂直材と、その上部から前方に延びて立ち上がり部の上方を跨ぐ上部水平材と、その先端部から下方に延びて下端部が立ち上がり部の内面に臨む先端垂直材からなり、
前記先端垂直材の下端部には、立ち上がり部の内面を押圧することで前記基部垂直材とにより立ち上がり部を挟持する押しボルトが設けられ、
前記上部水平材には、立ち上がり部の上面を押圧することで高さ方向の位置決めを行う高さ調整ボルトが設けられ、
前記先端垂直材の長さは前記基部垂直材よりも短くされ、該先端垂直材の下端部は立ち上がり部の基部に形成されている溝部内に位置せしめられるとともに、該先端垂直材の下端部には該溝部との接触を回避するための切欠部が形成されていることを特徴とする仮設養生体の支持機構。
【請求項２】
請求項１記載の仮設養生体の支持機構であって、前記先端垂直材は前記上部水平材に対し着脱可能とされ、かつ上部水平材に対する先端垂直材の装着位置が上部水平材の長さ方向に変更可能とされていることを特徴とする仮設養生体の支持機構。
【請求項３】
請求項１または２記載の仮設養生体の支持機構であって、前記フレーム部材と仮設養生体との間に水平旋回可能な旋回アームが介装可能とされていることを特徴とする仮設養生体の支持機構。
【発明の詳細な説明】
【０００１】
【発明の属する技術分野】
本発明は、建物施工時にその外壁部に仮設養生体を盛替可能に取り付けるための機構に関する。
【０００２】
【従来の技術】
周知のように、建物を施工する際には作業足場の確保や落下養生ネットの設置のための仮設養生体を外壁部に設けることが通常である。従来、この種の仮設養生体としてはいわゆる枠組み足場を地上より立設するものが殆どであったが、近年、仮設養生体を建物に支持せしめて施工進捗に応じてそれを漸次盛り替えて上昇させていくという工法も開発され、実用化されつつある。
【０００３】
【発明が解決しようとする課題】
上記のような工法では、仮設養生体を建物に対して確実かつ安定に支持可能であることはもとより、簡便な構成で盛り替えを容易に行い得る機構が不可欠である。
【０００４】
【課題を解決するための手段】
上記事情に鑑み、請求項１の発明は、建物施工時に外壁部に仮設養生体を盛替可能に支持するための機構であって、建物の先端部に設けられている立ち上がり部に係合可能な下向きの三方枠状のフレーム部材を前記仮設養生体に対して水平旋回可能な状態で取り付け、前記フレーム部材は、立ち上がり部の外面に当接せしめられる基部垂直材と、その上部から前方に延びて立ち上がり部の上方を跨ぐ上部水平材と、その先端部から下方に延びて下端部が立ち上がり部の内面に臨む先端垂直材からなり、前記先端垂直材の下端部には、立ち上がり部の内面を押圧することで前記基部垂直材とにより立ち上がり部を挟持する押しボルトが設けられ、前記上部水平材には、立ち上がり部の上面を押圧することで高さ方向の位置決めを行う高さ調整ボルトが設けられ、前記先端垂直材の長さは前記基部垂直材よりも短くされ、該先端垂直材の下端部は立ち上がり部の基部に形成されている溝部内に位置せしめられるとともに、該先端垂直材の下端部には該溝部との接触を回避するための切欠部が形成されているものである。
【０００６】
請求項２の発明は、請求項１の発明において、前記先端垂直材は前記上部水平材に対し着脱可能とされ、かつ上部水平材に対する先端垂直材の装着位置が上部水平材の長さ方向に変更可能とされているものである。
【０００７】
請求項３の発明は、請求項１または２の発明において、前記フレーム部材と仮設養生体との間に水平旋回可能な旋回アームが介装可能とされているものである。
【０００８】
【発明の実施の形態】
以下、本発明の実施形態を説明するが、以下の実施形態はあくまで一例であって、本発明はこの実施形態に限定されるものではない。
【０００９】
まず、図１〜図３を参照して基本的な実施形態を説明する。本実施形態の支持機構が対象としている仮設養生体１は、図１に示すように、汎用の建設資材である鋼管（いわゆる単管）をクランプ金具により縦横に連結してフレーム状に組み立てそれに養生ネット２を取り付けたものであり、以下に説明する支持機構３により建物の外壁部に盛り替え可能に設置され、かつ施工進捗に伴い図示しない盛替機構により漸次盛り替えられて上昇していくものである。
【００１０】
支持機構３は上記の仮設養生体１を構成している縦方向の鋼管である縦材４に対し多段（図示例では３段）に設けられており、スラブ先端に形成されている立ち上がり部５に対してフレーム部材６を係合せしめることで仮設養生体１を支持するものである。
【００１１】
図２に示すように、フレーム部材６は立ち上がり部５に係合可能な下向きの三方枠状のもので、立ち上がり部５の外面に当接せしめられる基部垂直材７と、その上部から前方に延びて立ち上がり部５の上部を跨ぐ上部水平材８と、その先端部から下方に延びて下端部が立ち上がり部５の内面に臨む先端垂直材９からなる。本実施形態においては、基部垂直材７は角形鋼管からなり、上部水平材８および先端垂直材９はアングル材からなり、それらは互いに溶接されることで強固に組み立てられたものである。
【００１２】
基部垂直材７の前面側にはゴム等の緩衝材１０が取り付けられ、先端垂直材９の下端部には立ち上がり部５の内面を押圧することで基部垂直材７とにより立ち上がり部５を挟持する押しボルト１１が設けられ、また、上部水平材８には立ち上がり部５の上面を押圧することで高さ方向の位置決めを行う高さ調整ボルト１２が設けられている。高さ調整ボルト１２の先端部には、立ち上がり部５の上面が水切り勾配を有する傾斜面である場合に対応可能な首振自在のヘッド１２ａが設けられ、押しボルト１１の先端部にも同様のヘッド１１ａが取り付けられている。また、スラブ厚さを考慮して先端垂直材９の長さは基部垂直材７よりも短くされていて、このフレーム部材６が立ち上がり部５に係合した状態では先端垂直材９の下端部は立ち上がり部５の基部に形成されている溝部１３内に位置せしめられるようになっており、その下端部には溝部１３との接触を回避するための切欠部１４が形成されている。
【００１３】
そして、基部垂直材７の背面側にはクランプ金具１５が固定され、それらクランプ金具１５は取付用鋼管（単管）１６にクランプされ、その取付用鋼管１６の上部および下部はそれぞれクランプ金具１７により仮設養生体１の縦材４にクランプされるようになっている。
【００１４】
上記のように、フレーム部材６を取付用鋼管１６を介して仮設養生体１に取り付け、そのフレーム部材６を図２に示す状態で立ち上がり部５に係合せしめ、高さ調整ボルト１２により高さ調整を行い、基部垂直材７と押しボルト１１により立ち上がり部５を挟持することにより、そのフレーム部材６によって仮設養生体１を建物に対して安定に支持することができる。また、仮設養生体１を盛り替える際には、クランプ金具１５もしくはクランプ金具１７を緩めることでフレーム部材６を取付用鋼管１６を中心として水平旋回させることが可能であるから、フレーム部材６をそのように水平旋回させて仮設養生体１側に収容することにより盛替え作業を支障なく行うことが可能である。
【００１５】
さらに、本実施形態の支持機構３は、図３に示すように上記のフレーム部材６を取付用鋼管１６から取り外して、仮設養生体１に旋回アーム２０を水平旋回可能に取り付け、その旋回アーム２０の先端部に上記のフレーム部材６をクランプ金具２１により取り付けることが可能とされている。そして、旋回アーム２０に対するフレーム部材６の取り付け位置は前後方向に調節可能とされ、これにより、建物と仮設養生体１との間の設置間隔を旋回アーム２０の長さの範囲内で自由に調節できるようにされている。勿論、このような旋回アーム２０を用いた場合も旋回アーム２０自体を水平旋回させることで仮設養生体１の盛替えを支障なく行うことができる。
【００１６】
本実施形態の支持機構３は、上記のようにフレーム部材６を建物の立ち上がり部５に対して係合せしめることで仮設養生体１を安定に支持できかつそれを容易に盛り替えることができるものであることに加え、フレーム部材６は角形鋼管やアングル材等の鋼材を三方枠状に溶接したものであるのでそのフレーム部材６を十分な強度を有するものとできるし、立ち上がり部５の形状や寸法に対応する最適な形状、寸法のフレーム部材６を安価に製作することができる。また、必要に応じて旋回アーム２０を併用することで様々な形態の建物に広範に適用可能であり、他の現場での転用も可能である。
【００１７】
図４はフレーム部材の他の構成例を示すものである。図４に示すフレーム部材３０は先端垂直材９を上部水平材８の先端部にボルト３１により着脱可能に締結するようになっており、かつ上部水平材８に対する先端垂直材９の装着位置を前後方向（上部水平材８の長さ方向）に変更可能としたものである。すなわち、上部水平材８の先端部には複数（図示例では３つ）のボルト孔３２が等間隔で設けられているとともに、先端垂直材９の上部にはボルト孔３３を有する取付板３４が溶接されており、複数のボルト孔３２のうちのいずれかを選択して先端垂直材９を締結することにより、立ち上がり部５の壁厚に応じて先端垂直材９の位置を３段階に調節できるようになっている。なお、複数のボルト孔３２を設けることに変えて長穴を設ければ先端垂直材９の装着位置を無段階で調節することができる。図５はさらに他の構成例を示すもので、上部水平材８として逆Ｔ形鋼を用いて２本のボルト３１により先端垂直材９を締結するようにしたものである。
【００１８】
【発明の効果】
請求項１の発明は、建物の先端部の立ち上がり部に係合可能な下向きの三方枠状のフレーム部材を仮設養生体に対して水平旋回可能な状態で取り付け、そのフレーム部材は、立ち上がり部の外面に当接せしめられる基部垂直材と、その上部から前方に延びて立ち上がり部の上方を跨ぐ上部水平材と、その先端部から下方に延びて下端部が立ち上がり部の内面に臨む先端垂直材からなり、先端垂直材の下端部には立ち上がり部の内面を押圧する押しボルトが設けられ、上部水平材には立ち上がり部の上面を押圧する高さ調整ボルトを設けたので、フレーム部材を立ち上がり部に係合させて押しボルトにより固定することで仮設養生体を安定に支持できるとともに、仮設養生体を盛り替える際にはフレーム部材を水平旋回させることで盛り替えを支障なく容易に行うことができる。
【００１９】
しかも、先端垂直材の長さを基部垂直材よりも短くしてその下端部に切欠部を形成したので、立ち上がりの基部に形成されている溝部に対して先端垂直材の下端が接触することを防止することができる。
【００２０】
請求項２の発明は、先端垂直材を上部水平材に対し着脱可能としかつその装着位置を変更可能としたので、立ち上がり部の厚さに対応して先端垂直材を適正位置に装着することができる。
【００２１】
請求項３の発明は、フレーム部材と仮設養生体との間に水平旋回可能な旋回アームを介装可能としたので、様々な形態の建物に対し広範に適用可能である。
【図面の簡単な説明】
【図１】  本発明の実施形態を示す全体側面図である。
【図２】  同、支持機構を示す図である。
【図３】  同、旋回アームを使用した状態を示す図である。
【図４】  同、フレーム部材の他の構成例を示す図である。
【図５】  同、フレーム部材のさらに他の構成例を示す図である。
【符号の説明】
１  仮設養生体
３  支持機構
４  縦材
５  立ち上がり部
６  フレーム部材
７  基部垂直材
８  上部水平材
９  先端垂直材
１１  押しボルト
１２  高さ調整ボルト
１３  溝部
１４  切欠部
２０  旋回アーム
【図１】
0004195544.tif 000002
【図２】
0004195544.tif 000003
【図３】
0004195544.tif 000004
【図４】
0004195544.tif 000005
【図５】
0004195544.tif 000006